(57)【要約】【課題】パルス波形の歪みによる音質劣化を防止できる新規な音声再生装置の提供。【解決手段】パルス処理器２０と増幅器３０と音響スピーカー４０とを有し、前記駆動パルス処理器２０は、ＰＷＭ駆動パルス信号の各パルスＰを複数の等幅パルスｐに分割して出力する。これにより、パルスＰの切換のタイミングでアンプ出力部分が瞬間的に短絡状態になるのを防止できる。また、歪が発生しても各パルスＰを構成する等幅パルスｐがすべて同じ形となるため、等幅パルスｐの数に比例するエネルギーを安定して出力することが可能となり、音質劣化を確実に防止できる。【選択図】図６
2018160726.tif 000002
【特許請求の範囲】
【請求項１】
入力されるＰＷＭ駆動パルス信号を処理するパルス処理器と、当該パルス処理器で処理したＰＷＭ駆動パルス信号を増幅してスピーカーを駆動する増幅器とを有し、
前記パルス処理器は、前記ＰＷＭ駆動パルス信号の各パルスを複数の等幅パルスに分割して出力することを特徴とする音声再生装置。
【請求項２】
入力されるΔΣ駆動パルス信号を処理するパルス処理器と、当該パルス処理器で処理したΔΣ駆動パルス信号を増幅してスピーカーを駆動する増幅器とを有し、
前記パルス処理器は、前記ΔΣ駆動パルス信号のパルス幅を元のパルス幅よりも短くすることによって隣接する各パルス間に休止時間を設けて出力することを特徴とする音声再生装置。
【請求項３】
請求項１または２に記載の音声再生装置において、
前記パルス処理器と増幅器とを電磁シールドされたケース内に収容し、当該ケースをスピーカーボックス内に組み込んでなることを特徴とする音声再生装置。
【請求項４】
請求項２に記載の音声再生装置において、
前記ΔΣ駆動パルス信号をＰＣＭ信号から生成するΔΣ変調器を備え、当該ΔΣ変調器を前記パルス処理器および増幅器と共に、電磁シールドされたケース内に収容し、当該ケースをスピーカーボックス内に組み込んでなることを特徴とする音声再生装置。
【発明の詳細な説明】
【技術分野】
【０００１】
本発明は、ＰＷＭ駆動パルス信号およびΔΣ駆動パルス信号によって音響スピーカーを駆動するための音声再生装置に関するものである。
【背景技術】
【０００２】
従来、ＣＤやＤＶＤなどの音楽メディアに記録されているＰＣＭ（Pulse Code Modulation）入力信号を１ビットデジタル信号に変換するための方式として、パルス幅変調方式（ＰＷＭ：Pulse Width Modulation）と、パルス密度変調方式（ＰＤＭ：Pulse Density Modulation）が知られている。これら２つの方式のうち、現在はＰＷＭが一般的に用いられているが、高い信号対ノイズ比（ＳＮＲ：Single to Noie Ratio）を実現する場合には、ノイズシェーピング特性を有するΔΣ変調器を用いた方式が用いられている。
【０００３】
ＰＷＭ駆動パルスは、図８（Ａ）に示すように２レベル間を規則的かつ瞬間的に変化する矩形波となるのが理想的であるが、実際には同図（Ｂ）に示すようにパルスの立ち上がりで緩やかに遅れる特性がある。これはパルスを生成するアナログの駆動素子（トランジスタ）はオンになっても出力が最大電流、最大電圧に達するまでに時間がかかるからであり、オンからオフに切り替わるときも同様に緩やかに変化する。この結果、同図（Ｂ）に示すように波形が乱れてしまい、以下に示すような問題が生ずる。
【０００４】
すなわち、先ず出力がプラス、マイナスに切り替わるとき、同図（Ｂ）に示すように瞬間的に両方の駆動回路がオンになって電流が回路内で短絡してしまう。その結果、短絡している間の電力はスピーカーへ届かず、トランジスタを発熱させてしまうことがある。次に同図（Ｂ）の斜線部に示すようにパルスの角が歪みで欠けることによって出力されるエネルギーがトランジスタのオンオフ制御信号の長さと正確に比例しないため、エネルギーロスの比率が大きくなることがある。このため、例えば以下の特許文献１では、この駆動素子の遅れを見込んで同図（Ｃ）に示すようにパルスのオンオフの切り替えのタイミングに休止時間（デッドタイム）を設けることでこれらの問題を解決しようとしている。
【先行技術文献】
【特許文献】
【０００５】
【特許文献１】特開２００４−１２８６３９号公報
【発明の概要】
【発明が解決しようとする課題】
【０００６】
ところで、ＰＷＭ駆動パルスは、各パルスの長さが異なるため、前記のように駆動素子の影響によってパルスの角が欠る歪みが起こってエネルギーロスが発生した場合、そのエネルギーロスの比率はパルス毎に異なってくるため、スピーカーに伝わるエネルギーがパルスの幅に比例しなくなって音質に悪影響を及ぼすことがある。
【０００７】
すなわち、図８（Ｄ）に示すように駆動素子の影響によるエネルギーロスは、パルス１つにつき毎回ほぼ等量になるため、パルス幅が大きい場合はそれほど影響を受けないが、パルス幅が小さくなるほど、つまり音量が小さくなるほどエネルギーロスの比率が大きくなり、スピーカーに伝わるエネルギーがパルスの幅に比例しなくなる。特にこの問題は、前記特許文献１のようにパルスのオンオフの切り替えのタイミングに休止時間を設けてもパルス幅が短くなったパルス（例えば、図８（Ｄ）のパルスＰ２）では影響が大きい。
【０００８】
そこで、本発明はこれらの課題を解決するために案出されたものであり、その主な目的は、パルス波形の歪みによる音質劣化を防止できる新規な音声再生装置を提供するものである。
【課題を解決するための手段】
【０００９】
前記課題を解決するために第１の発明は、入力されるＰＷＭ駆動パルス信号を処理するパルス処理器と、当該パルス処理器で処理したＰＷＭ駆動パルス信号を増幅してスピーカーを駆動する増幅器とを有し、前記パルス処理器は、前記ＰＷＭ駆動パルス信号の各パルスを複数の等幅パルスに分割して出力することを特徴とする音声再生装置である。
【００１０】
このようにＰＷＭ駆動パルス信号の各パルスを複数の等幅パルスに分割して出力することにより、パルスの切換のタイミングでアンプ出力部分が瞬間的に短絡状態になるのを防止できる。また、歪が発生しても各パルスを構成する等幅パルスがすべて同じ形となるため、等幅パルスの数に比例したエネルギーを安定して出力することができる。これによってＰＷＭ駆動パルス波形の歪みによる音質劣化を防止することが可能となり、音量が小さくなっても優れた高音質を発揮できる。
【００１１】
第２の発明は、入力されるΔΣ駆動パルス信号を処理するパルス処理器と、当該パルス処理器で処理したΔΣ駆動パルス信号を増幅してスピーカーを駆動する増幅器とを有し、前記パルス処理器は、前記ΔΣ駆動パルス信号のパルス幅を元のパルス幅よりも小さくすると共に、隣接する各パルス間に休止時間を設けて出力することを特徴とする音声再生装置である。
【００１２】
このような構成によれば、パルスの切換のタイミングでアンプ出力部分が瞬間的に短絡状態になるのを防止できると共に、第１の発明と同様に歪が発生しても毎回出力されるすべてのパルスが同じ形となるため、パルスの数に比例するエネルギーを安定して出力することができる。これによってΔΣ駆動パルス波形の歪みによる音質劣化を防止することが可能となり、音量が小さくなっても優れた高音質を発揮できる。
【００１３】
第３の発明は、第１または第２の発明において、前記パルス処理器と増幅器とを電磁シールドされたケース内に収容し、当該ケースをスピーカーボックス内に組み込んでなることを特徴とする音声再生装置である。このような構成によれば、パルス処理器や増幅器で発生する高周波ノイズを電磁シールドされたケースおよびスピーカーボックス内で確実に遮蔽できるため、高周波ノイズによる音質の悪化や周囲にある家電などへの悪影響を確実に防止できる。
【００１４】
第４の発明は、第２の発明において、前記ΔΣ駆動パルス信号をＰＣＭ信号から生成するΔΣ変調器を備え、当該ΔΣ変調器を前記パルス処理器および増幅器と共に、電磁シールドされたケース内に収容し、当該ケースをスピーカーボックス内に組み込んでなることを特徴とする音声再生装置である。高周波ノイズは、ΔΣ駆動パルス信号をＰＣＭ信号から生成するΔΣ変調器においても発生するため、第３の発明と同様にこのΔΣ変調器をパルス処理器および増幅器と共に、電磁シールドされたケースおよびスピーカーボックス内に収容すれば、高周波ノイズによる音質の悪化や周囲にある家電などへの悪影響を確実に防止できる。
【発明の効果】
【００１５】
本発明によれば、パルスの切換のタイミングでアンプ出力部分が瞬間的に短絡状態になるのを防止できると共に、歪が発生しても各パルスがすべて同じ形となるため、パルスの数に比例するエネルギーを安定して出力することができる。これによってパルス波形の歪みによる音質劣化を防止することが可能となり、音量が小さくなっても優れた高音質を発揮できる。
【図面の簡単な説明】
【００１６】
【図１】本発明に係る音声再生装置１００の第１の実施形態を示す構成図である。
【図２】第１の実施形態に係るパルス処理器２０を示すブロック図である。
【図３】パルス処理器２０によるパルス処理の例を示すＰＷＭ駆動パルスを示す波形図である。
【図４】本発明に係る音声再生装置１００の第２の実施形態を示す構成図である。
【図５】第２の実施形態に係るパルス処理器２０を示すブロック図である。
【図６】パルス処理器２０によるパルス処理の例を示すΔΣ駆動パルスを示す波形図である。
【図７】本発明に係る音声再生装置１００の第３の実施形態を示す構成図である。
【図８】従来のＰＷＭ駆動パルスを示す波形図である。
【発明を実施するための形態】
【００１７】
以下、本発明の実施の形態を添付図面を参照しながら説明する。図１は本発明に係る音声再生装置１００の第１の実施形態を示したものである。図示するようにこの音声再生装置１００は、ＰＷＭ変調器１０と、パルス処理器２０と、増幅器３０と、音響スピーカー４０とから構成されている。ＰＷＭ変調器１０は、公知の１ビットデジタル変調器の１つであり、ＣＤやＤＶＤなどのメディアに記録されたＰＣＭ信号（４４．１ＫＨｚ、１６ビット）からオンとオフの信号列からなるＰＷＭ信号（パルス幅変調信号）を生成してパルス処理器２０に出力するようになっている。
【００１８】
増幅器３０は、例えばフルブリッジと呼ばれる４つのトランジスタを組み合わせた公知のＤ級アンプであり、プラスの電源１つだけで音響スピーカー４０に正負両方の電圧を印加ができるようになっている。音響スピーカー４０は、電磁コイルと磁石とコーンとからなる公知のダイナミックスピーカーであり、増幅器３０から出力された正負のデジタル信号を可聴域の音に変換して出力するようになっている。
【００１９】
パルス処理器２０は、図２に示すような回路構成となっており、１ＭＨｚ以上のクロック信号を発生するクロック発生器２１と、フリップフロップ回路２２と、第１および第２のアンド回路２３，２４とから構成されている。図示するようにこのパルス処理器２０は、ＰＷＭ変調器１０から送られてきたＰＷＭ信号の各パルスをフリップフロップ回路２２に入力し、ここでクロック発生器２１で発生する、ＰＷＭ信号の数倍（１ＭＨｚ以上）の周波数のクロック信号によって図３に示すような複数の等幅パルスｐに分割するようになっている。
【００２０】
そして、このパルス処理器２０は、入力パルスがプラスのときは、そのまま第１のアンド回路２３を介してプラス（＋）駆動電圧として出力し、入力パルスがマイナスに切り替わったときは、第２のアンド回路２４を介してマイナス（−）駆動電圧として出力する。これら各等幅パルスｐは、駆動素子の影響によって多少の歪みが発生するが、いずれも同じ形状でかつ一定の間隔（休止時間）を隔てて生成される。
【００２１】
図３の例では、最初のプラス側パルスＰ１が５つの等幅パルスｐ１〜ｐ５に分割されてプラス（＋）駆動電圧として出力し、２つ目のマイナス側パルスＰ２が３つの等幅パルスｐ６〜ｐ８に分割されてマイナス（−）駆動電圧として出力される。さらに、３つ目のプラス側パルスＰ３が４つの等幅パルスｐ９〜ｐ１２に分割されてプラス（＋）駆動電圧として出力し、４つ目のマイナス側パルスＰ４が４つの等幅パルスｐ１３〜ｐ１６に分割されてマイナス（−）駆動電圧として出力される。そして、各等幅パルスｐは、増幅器３０で増幅された後、音響スピーカー４０に送られて可聴域の音に変換されて出力されることになる。
【００２２】
このように本発明の音声再生装置１００は、ＰＷＭ変調器１０の後段に設けたパルス処理器２０によってＰＷＭ駆動パルス信号の各パルスＰを複数の等幅パルスｐに分割して出力するようにしたことにより隣接するパルス間に一定の休止時間が形成されるため、パルスの切換のタイミングでアンプ出力部分が瞬間的に短絡状態になるのを防止することができる。
【００２３】
また、駆動素子の影響によってパルスＰに歪が発生しても各パルスＰを構成する複数の等幅パルスｐがすべて同じ形となるため、この等幅パルスｐの数に比例するエネルギーを安定して出力することができる。これによって、ＰＷＭ駆動パルス波形の歪みによる音質劣化を防止することが可能となり、音量が小さくなってもそれに応じた電圧を確実に出力できるため、優れた高音質を発揮できる。
【００２４】
次に、図４乃至図６は本発明に係る音声再生装置１００の第２の実施形態を示したものである。先ず図４に示すようにこの音声再生装置１００は、ΔΣ変調器１１と、パルス処理器２０と、増幅器３０と、音響スピーカー４０とから構成されており、ΔΣ変調器１１以外の構成は、前記第１の実施形態とほぼ同じ構成となっている。なお、図５に示すように本実施に係るパルス処理器２０は、クロック発生器２１がない以外は第１の実施の形態に係るものと同じ構成となっている。
【００２５】
ΔΣ変調器１１は、ＰＷＭ変調器１０と同様に公知の１ビットデジタル変調器の１つであり、ＣＤやＤＶＤなどのメディアに記録されたＰＣＭ信号からオンとオフの信号列からなる等幅のΔΣ駆動パルス（パルス列）信号を生成してパルス処理器２０に出力するようになっている。図６（Ａ）はこのΔΣ駆動パルスの波形の一例であり、等幅のプラスまたマイナスのΔΣ駆動パルスＰの数によって信号を出力している。
【００２６】
そして、図５に示すようにこのΔΣ変調器１１から出力されたΔΣ信号の各パルスは、フリップフロップ回路２２に入力し、このΔΣ信号に付随して入力されるクロック信号によって図６に示すようなその幅が約半分の短幅パルスｐに変形される。変形された短幅パルスｐがプラスのときは、そのまま第１のアンド回路２３を介してプラス（＋）駆動電圧として出力され、短幅パルスｐがマイナスに切り替わったときは、第２のアンド回路２４を介してマイナス（−）駆動電圧として出力される。これら各短幅パルスｐは、いずれも同じ形状でかつ半分に短縮されたぶんだけ一定の間隔を隔てて生成される。
【００２７】
図６の例では、１周期の半分を休止することにより、各ΔΣ駆動パルスＰ１〜Ｐ８がそれぞれ元のパルス幅の約半分の短幅パルスｐ１〜Ｐ８に変形されて隣接するパルス間に一定の間隔を隔てて生成されることによってこの間隔が休止時間となっている。そしてこの短幅パルスｐの場合も駆動素子の影響によって多少の歪みが発生するが、いずれも同じ形状でかつ一定の間隔（休止時間）を隔てて生成される。
【００２８】
このように本実施の形態に係る音声再生装置１００は、ΔΣ変調器１１の後段に設けたパルス処理器２０によってΔΣ駆動パルス信号の各パルスＰの幅を短くして出力するようにしたことにより隣接するパルス間に休止時間が形成されるため、パルスの切換のタイミングでアンプ出力部分が瞬間的に短絡状態になるのを防止することができる。
【００２９】
また、駆動素子の影響によってパルスＰに歪が発生しても各パルスＰを構成する複数の短幅パルスｐがすべて同じ形となるため、この短幅パルスｐの数に比例するエネルギーを安定して出力することができる。これによって、ΔΣ駆動パルス波形の歪みによる音質劣化を防止することが可能となり、音量が小さくなってもそれに応じた電圧を確実に出力できるため、優れた高音質を発揮できる。
【００３０】
なお、本実施の形態では１周期の半分を休止することによってΔΣ駆動パルス信号の各パルスＰの幅を約半分とした例で示したが、このクロック周波数を適宜増減、例えば３倍や４倍としたり、あるいは１．５倍とすることでそのパルス間の休止時間を適宜調整することが可能となる。また、ＳＡＣＤ（Super Audio CD）のようにはじめから１ビットのΔΣ駆動パルス信号で音声情報が記録されているメディアの場合は、ΔΣ変調処理が不要となるため、図４に示すようにΔΣ変調器１１の後段に切り替えスイッチ１２を設け、そのΔΣ駆動パルス信号を直接パルス処理器２０に入力するようにしても良い。
【００３１】
次に、図７は本発明に係る音声再生装置１００の第３の実施形態を示したものである。図示するようにこの音声再生装置１００は、前述したＰＷＭ変調器１０やΔΣ変調器１１、パルス処理器２０、増幅器３０などの電磁波を発生する機器を電磁シールド材料、例えば金属板や金属網などで形成されたケース５０内に収容し、このケース５０を音響スピーカー４０を取り付けるスピーカーボックス６０内に一体的に組み込んだものである。
【００３２】
すなわち、ＰＷＭ駆動パルス信号やΔΣ駆動パルス信号のようにＭＨｚオーダーの信号で１Ｗ〜１００Ｗの電力伝送を行う場合、その輻射電波量も増大となり、音質や周囲の電化製品に悪影響を及ぼすことが考えられる。そこで、本実施の形態ではこれらの機器を電磁シールドされたケース５０内に収容すると共にさらにこのケース５０をスピーカーボックス６０内に一体的に組み込んだものであり、これによってこれらの機器から発生する不要な高周波輻射を確実に遮蔽して音質や周囲の電化製品への悪影響を抑制することができる。
【００３３】
また、このように構成することによりパルス処理器２０や増幅器３０などを設置するスペースが不要となって室内空間を有効利用できると共に、音響スピーカー４０へ接続するケーブルが不要または大幅に短縮できるため、コストダウンや伝送時の信号劣化などによる音質低下も同時に回避することができる。
【符号の説明】
【００３４】
１００…音声再生装置
１０…ＰＷＭ変調器
１１…ΔΣ変調器
１２…切り替えスイッチ
２０…パルス処理器
２１…クロック発生器
２２…フリップフロップ回路
２３…第１のアンド回路
２４…第２のアンド回路
３０…増幅器
４０…音響スピーカー
５０…ケース（電磁シールド）
６０…スピーカーボックス
Ｐ…ＰＷＭ駆動パルス、ΔΣ駆動パルス
ｐ…等幅のＰＷＭ駆動パルス、短幅のΔΣ駆動パルス
【図１】
2018160726.tif 000003
【図２】
2018160726.tif 000004
【図３】
2018160726.tif 000005
【図４】
2018160726.tif 000006
【図５】
2018160726.tif 000007
【図６】
2018160726.tif 000008
【図７】
2018160726.tif 000009
【図８】
2018160726.tif 000010
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
入力されるＰＷＭ駆動パルス信号を処理するパルス処理器と、当該パルス処理器で処理したＰＷＭ駆動パルス信号を増幅してスピーカーを駆動する増幅器とを有し、
前記パルス処理器は、前記ＰＷＭ駆動パルス信号の各パルスを複数の等幅パルスに分割して出力することを特徴とする音声再生装置。
【請求項２】
入力されるΔΣ駆動パルス信号を処理するパルス処理器と、当該パルス処理器で処理したΔΣ駆動パルス信号を増幅してスピーカーを駆動する増幅器とを有し、
前記ΔΣ駆動パルス信号は、等幅のプラスまたはマイナスのΔΣ駆動パルスが１乃至複数連続するパルス列からなると共に
前記パルス処理器は、前記ΔΣ駆動パルス信号のすべてのΔΣ駆動パルスのパルス幅を元のパルス幅よりも短くすることによって隣接する各パルス間に休止時間を設けて出力することを特徴とする音声再生装置。
【請求項３】
請求項１または２に記載の音声再生装置において、
前記パルス処理器と増幅器とを電磁シールドされたケース内に収容し、当該ケースをスピーカーボックス内に組み込んでなることを特徴とする音声再生装置。
【請求項４】
請求項２に記載の音声再生装置において、
前記ΔΣ駆動パルス信号をＰＣＭ信号から生成するΔΣ変調器を備え、当該ΔΣ変調器を前記パルス処理器および増幅器と共に、電磁シールドされたケース内に収容し、当該ケースをスピーカーボックス内に組み込んでなることを特徴とする音声再生装置。
【手続補正２】
【補正対象書類名】明細書
【補正対象項目名】００２５
【補正方法】変更
【補正の内容】
【００２５】
ΔΣ変調器１１は、ＰＷＭ変調器１０と同様に公知の１ビットデジタル変調器の１つであり、ＣＤやＤＶＤなどのメディアに記録されたＰＣＭ信号からオンとオフの信号列からなる等幅のΔΣ駆動パルス（パルス列）信号を生成してパルス処理器２０に出力するようになっている。図６（Ａ）はこのΔΣ駆動パルスの波形の一例であり、等幅のプラスまたはマイナスのΔΣ駆動パルスＰの数によって信号を出力している。